(57)【特許請求の範囲】
【請求項１】
繰り込みローラと、繰り込みローラの外周面に圧接される分離パッドとを有し、繰り込みローラと分離パッドの協働作用により用紙を１枚ずつ繰り込むようにした用紙供給装置において、一部が装置外に露出する第１ラックギヤと、傾斜部を有した第２ラックギヤと、第１および第２ラックギヤに噛み合うピニオンギヤとからなるギヤ機構を備え、このギヤ機構を介して分離パッドの圧接力を調整する圧接力調整手段を設け、上記圧接力調整手段は、第２ラックギヤの傾斜部と上記分離パッドとの間に設けられた押圧部を有し、上記傾斜部により押圧部の弾性力を変えて圧接力を調整することを特徴とする用紙供給装置。
【請求項２】
繰り込みローラと、繰り込みローラの外周面に圧接される分離パッドとを有し、繰り込みローラと分離パッドの協働作用により用紙を１枚ずつ繰り込むようにした用紙供給装置において、一部が装置外に露出するラックギヤと、傾斜部を有したピニオンギヤ部材とからなるギヤ機構を備え、このギヤ機構を介して分離パッドの圧接力を調整する圧接力調整手段を設け、上記圧接力調整手段は、傾斜部と上記分離パッドとの間に設けられた押圧部を有し、上記傾斜部により押圧部の弾性力を変えて圧接力を調整することを特徴とする用紙供給装置。
【請求項３】
上記押圧部が、上記傾斜部に接する第１の押圧部材と、上記分離パッドの背面に接する第２の押圧部材と、第１の押圧部材と第２の押圧部材との間に設けられた弾性部材とからなることを特徴とする請求項１または２に記載の用紙供給装置。
【発明の詳細な説明】
【０００１】
【発明の属する技術分野】
本発明は、例えば、ファクシミリ装置等に適用され、用紙を１枚づつ分離して搬送する分離機構を備えた用紙供給装置に関するものである。
【０００２】
【従来の技術】
ファクシミリ装置における用紙供給装置においては、用紙を積層支持するための給紙トレイの下側近傍に、用紙に対して繰り込み力を付与する繰り込みローラが設けられるとともに、積層された用紙に対して繰り込み力に抗する力を付与する分離パッドが設けられている。そして、繰り込みローラが回転すると、給紙トレイ上の用紙のうち、繰り込みローラに接している用紙から１枚ずつ装置内の用紙読取部に繰り込まれ、他の用紙は分離パッドにより給紙トレイ上に残る。このようにして、給紙トレイ上の用紙が１枚ずつ分離されて繰り込まれる。
【０００３】
【発明が解決しようとする課題】
しかしながら、上述したような従来の用紙供給装置では、温度や湿度が変化すると、或いは、繰り込まれる用紙が変わりその厚さや腰の強さが変化すると、分離パッドと用紙との摩擦力が変動し、用紙の分離や繰り込みが円滑に行われないといった問題が発生していた。
【０００４】
本発明の目的は、従来のこのような欠点を解消し、装置が設置された場所の温度や湿度等の環境や、繰り込まれる用紙の厚さや腰の強さ等にかかわらず、常に円滑な分離や繰り込みが可能となる用紙供給装置を提供することにある。
【０００５】
【課題を解決するための手段】
上記目的を達成するために、請求項１の発明は、繰り込みローラと、繰り込みローラの外周面に圧接される分離パッドとを有し、繰り込みローラと分離パッドの協働作用により用紙を１枚ずつ繰り込むようにした用紙供給装置において、一部が装置外に露出する第１ラックギヤと、傾斜部を有した第２ラックギヤと、第１および第２ラックギヤに噛み合うピニオンギヤとからなるギヤ機構を備え、このギヤ機構を介して分離パッドの圧接力を調整する圧接力調整手段を設け、上記圧接力調整手段は、第２ラックギヤの傾斜部と上記分離パッドとの間に設けられた押圧部を有し、上記傾斜部により押圧部の弾性力を変えて圧接力を調整する。
【０００７】
また、請求項２の発明は、繰り込みローラと、繰り込みローラの外周面に圧接される分離パッドとを有し、繰り込みローラと分離パッドの協働作用により用紙を１枚ずつ繰り込むようにした用紙供給装置において、一部が装置外に露出するラックギヤと、傾斜部を有したピニオンギヤ部材とからなるギヤ機構を備え、このギヤ機構を介して分離パッドの圧接力を調整する圧接力調整手段を設け、上記圧接力調整手段は、傾斜部と上記分離パッドとの間に設けられた押圧部を有し、上記傾斜部により押圧部の弾性力を変えて圧接力を調整する。
【０００８】
さらに、請求項３の発明は、上記押圧部が、上記傾斜部に接する第１の押圧部材と、上記分離パッドの背面に接する第２の押圧部材と、第１の押圧部材と第２の押圧部材との間に設けられた弾性部材とからなる。
【０００９】
【発明の実施の形態】
以下、本発明の実施の形態の用紙供給装置について図面を参照しつつ述べる。先ず、本発明の第１の実施の形態について、図１〜図５を参照して述べる。図１は、本発明の実施の形態の用紙供給装置を含むファクシミリ装置を示す平面図である。図２は、図１のファクシミリ装置を示す断面図である。図３は、第１の実施の形態の用紙供給装置における圧接力調整手段の詳細を示す要部断面図である。図４は、図３の圧接力調整手段におけるラックとピニオンのギヤ機構を示す平面図である。図５は、図３のギヤ機構およびその傾斜部を示す正面図である。
【００１０】
図１に示すように、装置フレーム１の上面には用紙Ｐの挿入口２が、同装置フレーム１の前後には用紙Ｐの排出口３が形成されている。図２に示すように、装置フレーム１の内部には用紙Ｐの搬送通路４が設けられ、挿入口２から挿入された用紙Ｐは搬送通路４を通過して排出口３から排出される。
【００１１】
イメージセンサ６は搬送通路４に臨むように配置され、送信、コピー時にこのイメージセンサ６により用紙Ｐ上の画情報が読み取られる。搬送通路４には一対の送りローラ７と、イメージセンサ６に接している送りローラ８とが設けられ、これらの送りローラ７，８の回転により搬送通路４を通過する用紙Ｐに送りが付与される。
【００１２】
用紙Ｐを積層支持するための給紙トレイ９は、装置フレーム１の上部において挿入口２と対応する位置に設けられている。繰り込みローラ１０は給紙トレイ９の下端近傍において装置フレーム１内に積極回転可能に支持されている。前記搬送通路４を挟んで繰り込みローラ１０の反対側位置には支持板１１が設けられている。その支持板１１には繰り込みローラ１０と対向するように分離パッド１２が取り付けられている。分離パッド１２は、後述するギヤ機構部２０と押圧部３０とからなる圧接力調整手段により、繰り込みローラ１０に向かって付勢され、繰り込みローラ１０の外周面に圧接されている。
【００１３】
そして、給紙トレイ９上に多数の用紙Ｐが積層支持された状態で、繰り込みローラ１０が回転駆動されると、給紙トレイ９上の用紙Ｐのうち、繰り込みローラ１０の外周面に接している最下の１枚の用紙Ｐにのみ繰り込み力が付与されて、用紙Ｐが搬送通路４内に繰り込まれる。このとき、他の用紙Ｐは分離パッド１２との摩擦により搬送通路４内への繰り込みが阻止されて、給紙トレイ９上に残る。つまり、繰り込みローラ１０の回転に伴い、同繰り込みローラ１０と分離パッド１２との協働作用により、給紙トレイ９上の用紙Ｐが１枚ずつ分離して搬送通路４内に繰り込まれる。
【００１４】
次に、上記のように構成された用紙供給装置の作用を説明する。給紙トレイ９上に多数の用紙Ｐを載置支持した状態で装置を始動するとき、後述するギヤ機構部２０と押圧部３０とからなる圧接力調整手段により、分離パッド１２が所定の付勢力で繰り込みローラ１０に圧接される。そして、繰り込みローラ１０が回転駆動されて、同繰り込みローラ１０と分離パッド１２との協働作用により、用紙Ｐが１枚ずつ搬送通路４内に繰り込まれる。搬送通路４内に繰り込まれた１枚の用紙は、一対の送りローラ７を介し、送りローラ８により、イメージセンサ６に圧接されながら搬送される。そして、イメージセンサ６により用紙Ｐ上の画情報が読み取られる。その後、用紙Ｐは排出口３から装置外へ排出される。
【００１５】
上記の押圧部３０は、図３に示すように、一対の第１の押圧部材３１、第２の押圧部材３２と、第１の押圧部材３１と第２の押圧部材３２との間に取付けられた弾性部材３３とからなる。弾性部材３３は例えば圧縮スプリングであるが、ゴム、板ばね等も使用することができる。第１の押圧部材３１、第２の押圧部材３２と弾性部材３３とは、支持板１１の筒体部１１ｂに移動可能に設けられている。
【００１６】
次に、ギヤ機構部２０について述べる。図１、図２に示すように、ギヤ機構部２０は装置の中央上部に設けられ、図３に示すように分離パッド１２の背面に位置している。ギヤ機構部２０は、図４にも示されるように、対向して配置された一対の第１ラックギヤ２１および第２ラックギヤ２４と、第１ラックギヤ２１および第２ラックギヤ２４に噛み合うピニオンギヤ２２とから構成されている。所謂、ラックアンドピニオンと称されるギヤ機構が構成されている。
【００１７】
図３に示すように、ピニオンギヤ２２は支持板１１の座部１１ａに設けられた軸２３に回転自在に設けられている。そのピニオンギヤ２２周面のギヤ部に、第１ラックギヤ２１のギヤ部２１ｔが噛み合うと共に、第１ラックギヤ２１は図４中左右方向にスライド移動可能に設けられている。第１ラックギヤ２１には摘み部２１ａが設けられ、図１、図３に示すように、摘み部２１ａは装置外に露出している。オペレーターは、その摘み部２１ａを摘み、図４中左右方向にスライド移動させることができる。
【００１８】
また、ピニオンギヤ２２周面のギヤ部に、第２ラックギヤ２４のギヤ部２４ｔが噛み合うと共に、第２ラックギヤ２２も図４中左右方向にスライド移動可能に設けられている。第２ラックギヤ２４のギヤ部２４ｔの対辺側下面には、図５中下方に突出した傾斜部２４ａが設けられている。傾斜部２４ａは図５中、右下がりに傾斜した形状であり、押圧部３０の第１の押圧部材３１が接している。
【００１９】
第１ラックギヤ２１を図４中右方向にスライド移動させれば、ピニオンギヤ２２が図４中時計方向に回転し、第２ラックギヤ２４は図４中左方向にスライド移動する。それに伴い、第２ラックギヤ２４に設けられた傾斜部２４ａが、第１の押圧部材３１を繰り込みローラ１０に近づく方向に移動させる。その第１の押圧部材３１の移動に伴い、弾性部材３３、第２の押圧部材３２を介して分離パッド１２の繰り込みローラ１０への圧接力が強くなるように構成されている。
【００２０】
逆に、第１ラックギヤ２１を図４中左方向にスライド移動させれば、ピニオンギヤ２２が図４中反時計方向に回転し、第２ラックギヤ２４は図４中右方向にスライド移動する。それに伴い、第２ラックギヤ２４に設けられた傾斜部２４ａが、第１の押圧部材３１を繰り込みローラ１０より遠ざかる方向に移動させる。その第１の押圧部材３１の移動に伴い、弾性部材３３、第２の押圧部材３２を介して分離パッド１２の繰り込みローラ１０への圧接力が弱くなるように構成されている。
【００２１】
以下、ギヤ機構部２０と押圧部３０とからなる圧接力調整手段の使用方法を、用紙Ｐの厚さが変わった場合を例に挙げて説明する。
【００２２】
用紙Ｐが薄いものである場合、第１ラックギヤ２１を図４中右方向にスライド移動させておく。用紙Ｐが薄いものであると通常、用紙Ｐに対する分離パッド１２の保持力が相対的に小さくなる。これを補うため、分離パッド１２の繰り込みローラへ１０の圧接力を強めておく。そのため、分離パッド１２の用紙Ｐに対する保持力が上昇し、用紙Ｐは分離パッド１２によりその進行が阻止されやすくなる。つまり用紙Ｐを１枚ずつ分離する能力が高くなり、用紙Ｐが複数枚同時に繰り込まれることがなく、用紙Ｐを１枚ずつ確実に分離して搬送通路４内に繰り込むことができる。
【００２３】
また、用紙Ｐが厚いものである場合は、逆に、第１ラックギヤ２１を図４中左方向にスライド移動させておく。用紙Ｐが厚いものであると通常、用紙Ｐに対する分離パッド１２の保持力が相対的に大きくなる。この保持力を軽減するため、分離パッド１２の繰り込みローラへ１０の圧接力を弱めておく。そのため、分離パッド１２の繰り込みローラ１０への圧接力が弱くなり、分離パッド１２の用紙Ｐに対する保持力が減少し、用紙Ｐは繰り込みローラ１０に繰り込まれ易くなる。つまり用紙Ｐに対する繰り込み力が大きくなり、用紙Ｐの繰り込みに失敗することはなく、用紙Ｐを確実に搬送通路４内に繰り込むことができる。
【００２４】
また、押圧部３０には、上述のように弾性部材３３が設けられ、分離パッド１２を繰り込みローラ１０に弾性付勢しているので、繰り込みローラ１０の周面に多少の凹凸があっても弾性部材３３に吸収され、分離パッド１２を繰り込みローラ１０に常に所定押圧力で圧接し、安定した圧接力とすることができる。
【００２５】
また、上述のギヤ機構部２０と押圧部３０とからなる圧接力調整手段は、大半を装置内に収納した構成であり、第１ラックギヤ２１の摘み部２１ａのみを装置外に露出している。そのため、オペレーターは、カバーを開けることなく、また特別な工具を使用することなく、摘み部２１ａをスライド移動させるだけで、押圧部３０の圧接力を調整し、繰り込みローラ１０に対する分離パッド１２の圧接力を、簡単かつスムーズに調整することができる。
【００２６】
以上詳述したように本発明によれば、温度や湿度等の環境、用紙の厚さや腰等に応じて分離パッドの圧接力を調整することができ、用紙の厚さにかかわらず常に円滑な分離や繰り込みが可能になる。また、腰が強い用紙、腰が弱い用紙等にも本発明は同様な効果を発揮することができる。例えば、用紙が腰の強いものである場合は、分離パッドの圧接力を弱くし、用紙が腰の弱いものである場合は、分離パッドの圧接力を強くする。さらに、分離パッドは、長期間の使用時にゴムが摩耗していくが、上記圧接力調整手段により、分離性能の持続が可能となる。
【００２７】
次に、本発明の用紙供給装置の第２の実施の形態について、主に図６〜図８を参照して述べる。図６は、第２の実施の形態における圧接力調整手段の詳細を示す要部断面図である。図７は、図６の圧接力調整手段におけるラックとピニオンのギヤ機構を示す平面図である。図８は、図６のギヤ機構および傾斜部を示す正面図である。尚、以下の説明においては、主に上述の第１の実施の形態との相違点のみを述べ、重複する点は説明を省略する。
【００２８】
本発明の用紙供給装置の第２の実施の形態の用紙供給装置における圧接力調整手段は、図６に示されるように、ギヤ機構部２０Ａと押圧部３０とから構成される。ギヤ機構部２０Ａは、上述の第１の実施の形態と同様、装置の中央上部に設けられ、図６に示すように分離パッド１２の背面に位置している。押圧部３０は上述の第１の実施の形態と同一のものである。ギヤ機構部２０Ａは、図７に示されるように、対向して配置された一対の第１ラックギヤ２１および第２ラックギヤ２４Ａと、第１ラックギヤ２１および第２ラックギヤ２４Ａに噛み合うピニオンギヤ２２Ａとから構成されている。所謂、ラックアンドピニオンと称されるギヤ機構が構成されている。
【００２９】
図６に示すように、ピニオンギヤ２２Ａは支持板１１の座部１１ａに設けられた軸２３に回転自在に設けられている。ピニオンギヤ２２Ａは、一体となった第１ピニオン２２ａと第２ピニオン２２ｂとからなり、軸２３に対して一体回転自在である。第１ピニオン２２ａと第２ピニオン２２ｂとは直径が異なり、場合によってはモジュールも異なる。図６〜図８に示す例では、第１ピニオン２２ａよりも第２ピニオン２２ｂが小径であり、モジュールも小さく設定されている。そのピニオンギヤ２２の第１ピニオン２２ａに、第１ラックギヤ２１のギヤ部２１ｔが噛み合うと共に、第１ラックギヤ２１は図７中左右方向にスライド移動である。第１ラックギヤ２１には摘み部２１ａが設けられ、図６に示すように、つまみ部２１ａは装置外に露出している。オペレーターは、その摘み部２１ａを摘み、図６紙面垂直方向にスライド移動させることにより、押圧部３０の圧接力を調整できる。
【００３０】
また、ピニオンギヤ２２の第２ピニオン２２ｂに、第２ラックギヤ２４Ａのギヤ部２４Ａｔが噛み合うと共に、第２ラックギヤ２４Ａも図７中左右方向にスライド移動可能である。第２ラックギヤ２４Ａのギヤ部２４Ａｔの対辺側下面には、図８中下方に突出した傾斜部２４Ａａが設けられている。傾斜部２４Ａａは図８中、右下がりに傾斜した形状であり、押圧部３０の第１の押圧部材３１が接している。
【００３１】
第１ラックギヤ２１を図７中右方向にスライド移動させれば、ピニオンギヤ２２Ａの第１ピニオン２２ａと第２ピニオン２２ｂとが図７中時計方向に回転し、第２ラックギヤ２４Ａは図７中左方向にスライド移動する。それに伴い、第２ラックギヤ２４Ａに設けられた傾斜部２４Ａａが、第１の押圧部材３１を繰り込みローラ１０に近づく方向に移動させる。その第１の押圧部材３１の移動に伴い、弾性部材３３、第２の押圧部材３２を介して分離パッド１２の繰り込みローラ１０への圧接力が強くなるように構成されている。
【００３２】
逆に、第１ラックギヤ２１を図７中左方向にスライド移動させれば、ピニオンギヤ２２Ａの第１ピニオン２２ａと第２ピニオン２２ｂとが図７中反時計方向に回転し、第２ラックギヤ２４Ａは図７中右方向にスライド移動する。それに伴い、第２ラックギヤ２４Ａに設けられた傾斜部２４Ａａが、第１の押圧部材３１を繰り込みローラ１０より遠ざかる方向に移動させる。その第１の押圧部材３１の移動に伴い、弾性部材３３、第２の押圧部材３２を介して分離パッド１２の繰り込みローラ１０への圧接力が弱くなるように構成されている。
【００３３】
また、第２の実施の形態のピニオンギヤ２２では、第１ピニオン２２ａよりも第２ピニオン２２ｂが小径であるため、第１ラックギヤ２１のスライド移動量に比べ、第２ラックギヤ２４Ａのスライド移動量が小さくなっている。そのため、オペレータは第２ラックギヤ２４Ａのスライド移動量の微調整が容易であり、分離パッド１２の繰り込みローラ１０への圧接力を微調整をすることができる。さらに、第２ピニオン２２ｂのモジュールが小さいため、第２ラックギヤ２４Ａのスライド移動量をさらに微調整が容易であると共に、圧接力調整手段の動作をスムーズにすることができる。尚、図６〜図８に示す例では、第１ピニオン２２ａよりも第２ピニオン２２ｂが小径であり、モジュールも小さく設定されているが、第１ピニオン２２ａ、第２ピニオン２２ｂの直径やモジュールは装置全体の設計に応じて、適宜、設計変更が可能であることは言うまでもない。
【００３４】
次に、本発明の第３の実施の形態について、主に図９〜図１１を参照して述べる。図９は、第３の実施の形態の用紙供給装置における圧接力調整手段の詳細を示す要部断面図である。図１０は、図９の圧接力調整手段におけるラックとピニオンのギヤ機構を示す平面図である。図１１は、図９のギヤ機構および傾斜部を示す正面図である。尚、以下の説明においては、主に上述の第１および第２の実施の形態との相違点のみを述べ、重複する点は説明を省略する。
【００３５】
本発明の用紙供給装置の第３の実施の形態における圧接力調整手段は、図９に示されるように、ギヤ機構部２０Ｂと押圧部３０とから構成される。ギヤ機構部２０Ｂは、上述の第１、第２の実施の形態と同様、装置の中央上部に設けられ、図９に示すように分離パッド１２の背面に位置している。押圧部３０は上述の第１の実施の形態と同一のものである。ギヤ機構部２０Ｂは、図１０に示されるように、ラックギヤ２１と、ラックギヤ２１に噛み合うピニオンギヤ部材２２Ｂとから構成されている。
【００３６】
図１０に示すように、ピニオンギヤ部材２２Ｂは支持板１１の座部１１ａに設けられた軸２３に回動自在に設けられている。ピニオンギヤ部材２２Ｂは、ギヤ部２２Ｂｔと、ギヤ部２２Ｂｔに対向する位置の下面に傾斜部２２Ｂａを有した部材である。そのギヤ部２２Ｂｔに、ラックギヤ２１のギヤ部２１Ｂｔが噛み合うと共に、ラックギヤ２１は図１０中左右方向にスライド移動可能である。ラックギヤ２１には摘み部２１ａが設けられ、図９に示すように、つまみ部２１ａは装置外に露出している。オペレーターは、その摘み部２１ａを摘み、図１０中左右方向にスライド移動させることにより、押圧部３０の圧接力を調整できる。また、傾斜部２２Ｂａは、図１１中、右下がりに傾斜した形状であり、押圧部３０の第１の押圧部材３１が接している。
【００３７】
ラックギヤ２１を図１０中右方向にスライド移動させれば、ピニオンギヤ部材２２Ｂが図１０中時計方向に回動する。それに伴い、ピニオンギヤ部材２２Ｂに設けられた傾斜部２２Ｂａが、第１の押圧部材３１を繰り込みローラ１０に近づける方向に移動させる。その第１の押圧部材３１の移動に伴い、弾性部材３３、第２の押圧部材３２を介して分離パッド１２の繰り込みローラ１０への圧接力が強くなるように構成されている。
【００３８】
逆に、ラックギヤ２１を図１１中左方向にスライド移動させれば、ピニオンギヤ部材２２Ｂが図１１中反時計方向に回動する。それに伴い、ピニオンギヤ部材２２Ｂに設けられた傾斜部２２Ｂａが、第１の押圧部材３１を繰り込みローラ１０から遠ざける方向に移動させる。その第１の押圧部材３１の移動に伴い、弾性部材３３が伸びて弾性力が弱くなり、第２の押圧部材３２を介して分離パッド１２の繰り込みローラ１０への圧接力が弱くなるように構成されている。
【００３９】
また、ギヤ機構部２０Ｂと押圧部３０とからなる圧接力調整手段も上述の第１、第２の実施の形態と同様に、ギヤ機構部２０Ｂを介して押圧部３０の圧接力を調整しているため、圧接力調整手段の動作はスムーズである。さらに、第３の実施の形態のギヤ機構部２０Ｂは、部品点数が少なく、コストダウンができると共に、省スペース化ができ、圧接力調整手段のコンパクト化、さらには装置の小型化を可能とすることができる。
【００４０】
尚、この発明は前記実施の形態に限定されるものではなく、この発明をファクシミリ装置以外の用紙供給装置、例えばプリンタ等に具体化したりするなど、この発明の趣旨を逸脱しない範囲で各部の構成を任意に変更して具体化することも可能である。
【００４１】
【発明の効果】
上述のように、本発明により、ラックギヤをスライドさせるという簡易な操作により、設置場所の温度や湿度等の環境や、繰り込まれる用紙の厚さや腰の変化に応じて調整手段により分離パッドの圧接力を調整することができる。従って、例えば、用紙が厚くあるいは腰の強いものである場合は、分離パッドの圧接力を弱くすることにより、用紙を確実に繰り込むことができる。又、用紙が薄くあるいは腰の弱いものである場合は、分離パッドの圧接力を強くすることにより、用紙を確実に分離して１枚ずつ繰り込むことができる。また、分離パッドは長期間の使用時にゴムが摩耗していくが、圧接力を調整することにより、分離性能を長期間にわたり持続させることができる。また、オペレーターはギヤ機構部を介して押圧部の圧接力を調整しているため、圧接力調整手段の動作をスムーズにすることができる。
【００４２】
また、本発明により、カバーを開けたり、また特別な工具を使用することなく、押圧部の圧接力を調整することができる。そして、ギヤ機構部と押圧部材といった簡単な圧接力調整手段の構成およびその簡易な操作にもかかわらず、分離性能を向上、持続させることができる。
【００４３】
また、本発明により、ギヤ機構部を構成する部品点数が少なく、コストダウンができると共に、省スペース化ができ、圧接力調整手段のコンパクト化、さらには装置の小型化を可能とすることができる。
【００４４】
さらに、本発明により、繰り込みローラ周面に多少の凹凸があっても弾性部材に吸収され、分離パッドを繰り込みローラに常に所定押圧力で圧接し、安定した圧接力とすることができる。
【図面の簡単な説明】
【図１】本発明の実施の形態の用紙供給装置を含むファクシミリ装置を示す平面図である。
【図２】図１のファクシミリ装置の断面図である。
【図３】本発明の第１の実施の形態の用紙供給装置における圧接力調整手段の詳細を示す要部断面図である。
【図４】図３の圧接力調整手段におけるラックとピニオンのギヤ機構を示す平面図である。
【図５】図３のギヤ機構およびその傾斜部を示す正面図である。
【図６】本発明の第２の実施の形態の用紙供給装置における圧接力調整手段の詳細を示す要部断面図である。
【図７】図６の圧接力調整手段におけるラックとピニオンのギヤ機構を示す平面図である。
【図８】図６のギヤ機構および傾斜部を示す正面図である。
【図９】本発明の第２の実施の形態の用紙供給装置における圧接力調整手段の詳細を示す要部断面図である。
【図１０】図９の圧接力調整手段におけるラックとピニオンのギヤ機構を示す平面図である。
【図１１】図９のギヤ機構および傾斜部を示す正面図である。
【符号の説明】
１０      繰り込みローラ
１２      分離パッド
２０      ギヤ機構部
２０Ａ    ギヤ機構部
２０Ｂ    ギヤ機構部
２１      第１ラックギヤ
２２      ピニオンギヤ
２４      第２ラックギヤ
２４ａ    傾斜部
３０      押圧部
３１      第１の押圧部材
３２      第２の押圧部材
３３      弾性部材
２２Ａ    ピニオンギヤ
２２ａ    第１ピニオン
２２ｂ    第２ピニオン
２４Ａ    第２ラックギヤ
２４Ａａ  傾斜部
２２Ｂ    ピニオンギヤ部材
２２Ｂａ  傾斜部
【図１】
0003791211.tif 000002
【図２】
0003791211.tif 000003
【図３】
0003791211.tif 000004
【図４】
0003791211.tif 000005
【図５】
0003791211.tif 000006
【図６】
0003791211.tif 000007
【図７】
0003791211.tif 000008
【図８】
0003791211.tif 000009
【図９】
0003791211.tif 000010
【図１０】
0003791211.tif 000011
【図１１】
0003791211.tif 000012